Podtech/llm-jp-corpus-v4-ja_patent huggingface dataset:
(57)【要約】【課題】  本考案の目的は、耐衝撃性を十分に有しながらかつ、装飾性に優れた明るい墓石を提供することにある。【解決手段】  本考案の目的は墓石構成体部分の一部が透明材料からなる墓石であって、該透明材料が少なくとも前面から裏面へ、又は／および左側面から右側面へ貫通していることを特徴とする墓石によって達成される。【選択図】      図１
0003122132.tif 000002
【実用新案登録請求の範囲】
【請求項１】
墓石構成体部分の一部が透明材料からなる墓石であって、該透明材料が少なくとも前面から裏面へ、又は／および左側面から右側面へ貫通していることを特徴とする墓石。
【請求項２】
該透明材料の連続した２面が露出していることを特徴とする請求項１記載の墓石。  
【請求項３】
透明材料が竿石に使用されていることを特徴とする請求項１および２記載の墓石。
【考案の詳細な説明】
【技術分野】
【０００１】
墓石に関し、特に和風、洋風を問わず広く墓石に関する。
【背景技術】
【０００２】
墓石の改良に関する提案は多くあり、中でも明るくする目的とした装飾に関する提案がある。例えば墓石の装飾の方法として、ガラスに形状、模様、色彩などの装飾を施し、それらを複数枚積層して墓石の貫通窓に嵌め込んだ墓石（特許文献１）や、墓石の前面に透明材料を貼り付ける墓石（特許文献２）、ガラスの表面枠を作りその中にコンクリートを流し込んで形成した墓石（特許文献３）などがある。これらのいずれの提案も墓石の構造体部分に透明材料を使用するものではなく、力が作用する部分は石であったり、コンクリートであった。そのために墓石を単に加工したものに過ぎず、その美観の向上程度も小さなものでしかなかった。他方、竿石全体をガラスの複合体で形成する提案がある（特許文献４）。この提案はサイズの異なる複数枚のガラスが複数枚積層されたものであり、接着剤の使用が必須であり、透明性が不十分であることと衝撃に弱いという致命的欠陥を有している。
【０００３】
【特許文献１】特開２００３−１７１１５１号
【特許文献２】特開２００１-０４９９０１号
【特許文献３】特開昭５７−１７６５６３号
【特許文献４】特開２００２−３３２７５４号
【考案の開示】
【考案が解決しようとする課題】
【０００４】
本考案の目的は、耐衝撃性を十分に有しながらかつ、装飾性に優れた明るい墓石を提供することにある。
【課題を解決するための手段】
【０００５】
本考案の目的は墓石構成体部分の一部が透明材料からなる墓石であって、該透明材料が少なくとも前面から裏面へ、又は／および左側面から右側面へ貫通していることを特徴とする墓石によって達成される。
【考案の効果】
【０００６】
本考案の墓石は墓石を構成体部分の一部を透明な材料を使用することで透明感が十分に発揮され、その上、耐衝撃性などの耐久性にも優れる墓石となる。
【考案を実施するための最良の形態】
【０００７】
本考案で言う墓石構成体部分とは墓石全体に掛かる力を受ける部分を意味する。従って、地震や風圧などの外力を常に受けている部分であり、力学的な強度を十分に有していることが必要である。力学的な作用の及ばない部分例えば、墓石の一部に貫通孔を空けて透明材料を嵌め込んだ墓石や墓石の表面を凹部状に削り取り、透明材料を嵌め込んだ墓などは本考案の対象にはならない。
【０００８】
本考案の墓石は図１に示すように１枚の竿石の一部を上下方向および前後方向に貫通した状態で透明材料を適用することや上下方向および左右方向に貫通した状態で透明材料を適用することである。
透明材料の適用の方法は墓石構成体部分の一部が透明材料からなっている墓石であって、透明材料が少なくとも前面から後面へ、又は／および左側面から右側面へ貫通していれば特に限定されることはない。図１のように墓石の左右対称に２箇所に上下貫通するように適用する場合、上下貫通するように適用する場合、十字に貫通するように適用する場合など各種デザインに従って適用することが可能である。中でも上下方向に貫通した図１を基本とした適用の仕方がより好ましい。
【０００９】
本考案の透明材料とは透明な材料であれば良く、ガラスやプラスチックスなど組成に限定されることはないが、長期間の風雨に耐えられるいわゆる耐候性を有していることや力学的な強度の点から透明性に優れるガラスが好ましい。
【００１０】
透明材料の長さは原則的には墓石の長さとほぼ同一であることが好ましいが、若干短めのものでも差し支えなく適用することができる。他方、透明材料の厚さは、透明材料の合計厚さが墓石全体の厚さの１／２を越えないことが好ましい。透明材料の合計厚さが墓石全体の厚さの１／２を越えてしまった場合は力学的な強度の問題や古くから伝わる伝統的な美しさや風格が損なわれてしまい好ましくない。透明材料の合計厚さは墓石全厚さの１／３以下であることが特に好ましい。
【産業上の利用可能性】
【００１１】
本考案は一般的な墓石であれば広く適用することができる。和風墓石はもちろんであるが西洋風の墓石でも好ましく適用することができる。  
【図面の簡単な説明】
【００１２】
【図１】本考案になる墓石の斜視図
【符号の説明】
【００１３】
１．サオ石
２．透明材料
３．透明材料
【図１】
0003122132.tif 000003
(57)【要約】【課題】斜角を有するメモリカードを形成し、二次加工による斜角切除が不要であるメモリカードパッケージ構造を提供する。【解決手段】本考案のメモリカードパッケージ構造は、少なくとも一つの斜角を有し、チップ、ボンディングワイヤ等を設置する基板と、形状が基板と一致し、基板上のチップをパッケージするパッケージ体と、からなる。【選択図】図４
0003122127.tif 000002
【実用新案登録請求の範囲】
【請求項１】
メモリカードのパッケージ構造であって、
少なくとも一つの斜角を有し、且つ、少なくとも一つのチップを設置する基板と、
前記基板を包覆し、前記チップをパッケージし、形状が前記基板と一致し、斜角を有するメモリカードを形成するパッケージ体と、
からなることを特徴とするメモリカードパッケージ構造。
【請求項２】
前記基板はプラスチック材質であることを特徴とする請求項１に記載のメモリカードパッケージ構造。
【請求項３】
前記チップは引線により前記基板と電気的に接続されることを特徴とする請求項１に記載のメモリカードパッケージ構造。
【請求項４】
前記パッケージ体は、モールドにより前記基板をプレスしてなり、前記モールドのプレス領域形状は前記基板と相同であることを特徴とする請求項１に記載のメモリカードパッケージ構造。
【請求項５】
前記基板は更にフレームに連接され、前記フレーム内に複数組の相同の基板単体を連接することを特徴とする請求項１に記載のメモリカードパッケージ構造。
【請求項６】
前記連接する基板単体はモールドを利用してプレスを同時進行し、前記モールドのプレス領域形状は、前記連接する基板単体と相同で、プレス完成後、各基板を単位として前記フレームに対し切割を行い、複数組の斜角を有するメモリカードを形成することを特徴とする請求項５に記載のメモリカードパッケージ構造。
【請求項７】
前記基板の形状設計は前記斜角に限定されず、製品の要求によってその形状を調整することを特徴とする請求項１に記載のメモリカードパッケージ構造。
【考案の詳細な説明】
【技術分野】
【０００１】
本考案は、メモリカードのパッケージ構造に関するものであって、特に、斜角設計を有する基板で、後の二次加工の斜角裁断が不要で、メモリ製造を完成できるメモリカードのパッケージ構造に関するものである。
【背景技術】
【０００２】
近年の科学技術の急速な発展により、電子製品の設計は軽薄短小の趨勢にあり、携帯電話、デジタルカメラ、PDA等の製品はどれもメモリカードが必要なので、メモリカードは非常に重要である。
【０００３】
公知のメモリカードの基板は、図１Aで示されるように長方形設計で、プレス用金型モールドは長方形の基板でプレス成形を完成するか、封蓋した後、二度加工を施さねばならず、図１Bで示されるように、点線の部分の斜角を切除した後、メモリカードが完成する。これでは、メモリカードの生産効率が悪い。
【考案の開示】
【考案が解決しようとする課題】
【０００４】
本考案は、メモリカードパッケージ構造を提供し、使用する基板は、裁切が必要であった斜角を基板内に設計し、その後の二次加工で斜角を切除する工程を排除することを目的とする。
【課題を解決するための手段】
【０００５】
上述の目的を達成するため、本考案は少なくとも一つの斜角を有する基板を利用し、メモリカードは、元は裁切が必要であった部分を基板内に設計し、且つ、基板上にチップ、ボンディングワイヤ等を設置する工程後、モールドにより基板に対しプレス成形し、このモールドのプレス成形領域の形状と基板は一致し、故に、基板上でプレス成形を完成して、パッケージチップを形成し、斜角を有するメモリカードが完成し、二度加工が不要である。
【考案の効果】
【０００６】
本考案のメモリカードパッケージ構造は、裁切が必要であった斜角を基板内に設計し、その後の二次加工で斜角を切除する工程が排除され、生産効率が増加する。
【考案を実施するための最良の形態】
【０００７】
図２は本考案の基板の好ましい構造を示す図で、図３は本考案のメモリカードの好ましい構造を示す図である。図で示されるように、本考案のメモリカードパッケージ構造は、少なくとも一つの斜角を有し、少なくとも一つのチップを設け、前記チップは引線により電気的に接続される（図示しない）基板１０と、基板１０を包覆してその上のチップをパッケージするパッケージ体１２と、からなる。パッケージ体１２の形状は基板１０と一致し、パッケージ終了後、図３で示されるような斜角を有するメモリカードが完成する。
【０００８】
パッケージ体１２はモールドにより基板１０をプレス成形してなり、モールドのプレス領域形状と基板１０は相同で、故に、プレス完成時、即、メモリカードの外形が完成する。また、基板１０とパッケージ体１２の材質はプラスチック材質、或いは、需要に応じたその他の材質である。
【０００９】
本考案の基板１０は、図４で示されるように、フレーム１４を連接し、フレーム１４内で複数組の相同の基板１０単体を連接して、モジュール１６を形成する。この時、使用するモールドのプレス領域形状はモジュール１６と相同で、モジュール１６上で、この様式のモールドを利用してプレス成形を実行し、更に、各基板１０を単位として裁切し、複数組の、斜角を有するメモリカードを同時に形成できる。故に、モジュール１６によりメモリカードの大量生産が可能で、生産量を増加させる。
【００１０】
本考案の基板は、メモリカードの裁切が必要であった斜角を基板内に設計し、且つ、モールドのプレス領域と基板は一致し、プレス完成後、即、メモリカードの製品外形が形成され、二次加工で斜角を裁切する必要がないので、メモリカードの生産効率が向上すると共に、歩留まり率を増加する。且つ、基板形状設計は斜角だけに限定するのではなく、製品の需要に応じて、その形状を調整することができる。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１Ａ】公知の基板設計図である。
【図１Ｂ】点線部分を裁切しないとメモリカードが完成しない公知のメモ      リカード製造方式を示す図である。
【図２】本考案の基板の好ましい構造図である。
【図３】本考案のメモリカードの好ましい構造図である。
【図４】本考案の連体基板の好ましい構造図である。
【符号の説明】
【００１３】
１０…基板
１２…パッケージ体
１４…フレーム
１６…モジュール
【図１Ａ】
0003122127.tif 000003
【図１Ｂ】
0003122127.tif 000004
【図２】
0003122127.tif 000005
【図３】
0003122127.tif 000006
【図４】
0003122127.tif 000007
(57)【要約】【課題】本考案は、洗濯し乾燥させることにより繰り返し使用可能な布ナプキンで、表面に凹凸のできない縫製をし、肌への刺激を軽減することを目的とする。【解決手段】二枚の布１と２を縫い合わせて裏返し、布端３を内側に入れ肌に触れる面の凹凸をなくすことによって、肌への摩擦が軽減する。また、素材には肌への刺激が少ない綿１００％のものを使う。これにより、皮膚疾患がある者でも使用でき快適に過ごせるようになる。【選択図】図１
0003122196.tif 000002
【実用新案登録請求の範囲】
【請求項１】
二枚の綿布を使い、布端を内側に入れることによって肌に当たる面の凹凸をなくしたことを特徴とする生理用布ナプキン。
【考案の詳細な説明】
【技術分野】
【０００１】  この考案は、月経時の経血およびおりものを吸収し、洗濯し乾燥させることにより繰り返し使用可能な布ナプキンの形状と縫製方法に関する。
【背景技術】
【０００２】  従来の布ナプキンは、布端の処理に糸によるオーバーロック（図３）または、別布によるトリミング（図４）を使ったもので、肌に当たる面に凹凸があるため、肌への摩擦による皮膚障害が起こるという問題があった。また、オーバーロックにはポリエステル糸が使用されることから、化学繊維による接触湿疹を引き起こすことも懸念される。健常者であれば問題のない刺激であるが、アトピー性皮膚炎などの皮膚疾患がある者にとっては、これらの処理方法は極めて不快である。
【特許文献１】特開２００１−３５３１８２
【０００３】  従来の布ナプキンの形状は洗濯しにくく、厚みが不均一であり均等に乾きにくいという問題があった。
【特許文献２】特開２００４−３３７２０４
【考案の開示】
【考案が解決しようとする課題】
【０００４】  この考案は、布端や糸による摩擦をなくし、素材に綿を使うことにより、肌への刺激をできる限り抑えた生理用布ナプキンを提供することを目的とする。
【課題を解決するための手段】
【０００５】  上記の目的を達成させるため、素材となる布は肌への刺激の少ない綿１００％の起毛ネル素材、糸は綿１００％のものを使用した。また表面に凹凸のできない縫製とした。
【考案の効果】
【０００６】  素材に綿を使い、布端を内側に入れて凹凸をなくすことにより、皮膚疾患がある者でも使用でき快適に過ごせるようになる。
【考案を実施するための最良の形態】
【０００７】  この考案の形態を図１に示す。二枚の布（１、２）を縫い合わせて裏返し（４）、布端（３）を内側に入れることにより、表に凹凸ができない形態である。
【実施例】
【０００８】  二枚の布を使うことにより経血の吸収力を高めることができる。また布は起毛ネル素材のため、布ナプキンとショーツの接触面は滑りにくく、特別な接着方法を必要としない。
【図面の簡単な説明】
【００９】
【図１】この考案の布ナプキンの形態を示す全体図である。
【図２】この考案の布ナプキンの一部切断面図である。
【図３】従来技術である、布端の糸によるオーバーロック処理である。
【図４】従来技術である、布端の別布によるトリミング処理の断面である。
【符号の説明】
【００１０】１表布
２裏布
３布端
４糸
５布
６別布
【図１】
0003122196.tif 000003
【図２】
0003122196.tif 000004
【図３】
0003122196.tif 000005
【図４】
0003122196.tif 000006
(57)【要約】      （修正有）【課題】  身長の高い人や体格の良い人向きであったバスケットボールを、小柄な日本人でもダンクシュートなどのリングに手の届くような派手なプレイを楽しめるようにし、かつ試合を行えるようにする。【解決手段】  コート（設置面）からリングまでの高さが２００ｃｍから２５０ｃｍのバスケットゴールに、公式戦で使用されるゴールと同等の強度及び倒れない構造を持たせたバスケットゴールの考案。【選択図】図２
0003122191.tif 000002
【実用新案登録請求の範囲】
【請求項１】
コート（設置面）からリングまでの高さが２００ｃｍから２５０ｃｍの間で高さ調節可能なバスケットゴールに、公式戦で使用されるゴールと同等の強度及び、倒れない構造を持たせたバスケットボール用ゴール。
【請求項２】
練習用のバスケットゴールと、試合用のバスケットゴールの要素を組み合わせた、高さの低い試合用のゴールと言う特徴を持ったバスケットボール用ゴール。
【考案の詳細な説明】
【技術分野】
【０００１】  本考案はスポーツ、バスケットボールを小柄な日本人の体型に合わせるためのゴールに関する考案である
【背景技術】
【０００２】  従来のバスケットボール用ゴールには、公式戦用としてコートからリングまでの高さが３０５ｃｍのもの、及びミニバスケット用として高さが２６０ｃｍの物が在る、可変可能な物も在り収納時はそれより低くなる物も在るが、収納状態では試合で使用出来る強度を有していない。【０００３】  練習用として発売されている移動可能なバスケットボール用ゴールには２２９ｃｍから３０５ｃｍまで設定出来る物も在るが、十分な固定が出来ず転倒の恐れが在るため、大人がダンクシュートなどをするような試合用としてのゴールではなく、練習用と限定されている。【０００４】  以上に述べたように従来発売されているバスケットボール用のゴールには、様々な物が在るが、身長の低い人に合わせた試合用のゴールという考えの基に作られた物ではない。
【考案の開示】
【考案が解決しようとする課題】
【０００５】  従来の試合用バスケットゴールでは、体格の小柄な日本人だとバスケットボールの醍醐味であるダンクシュートなどリングに手が届くような派手なプレイが出来ない。【０００６】  高さの低いゴールには固定出来る物がなく、ダンクシュート時にゴールが倒れてしまう。【０００７】  本考案は、このような問題を解決し、身長の低い人に合わせたミドルクラスバスケットボールの試合を行う事を目的とする、高さの低い試合用ゴールの考案である。
【課題を解決するための手段】
【０００８】  上記課題目的を解決するために、コートからリングまでの高さが２００ｃｍから２５０ｃｍの間で高さ調節が可能なゴールに、公式戦で使用されるゴールと同等の強度及び倒れない構造を組み合わせたバスケットボール用ゴールの考案。【０００９】  現在試合用のゴールのとして在る、移動用の物、埋込み式の物、壁面設置用の物の強度や倒れない構造と、高さの低いゴールを組み合わせる。
【考案の効果】
【００１０】  体格の小柄な日本人でもバスケットボールの醍醐味であるダンクシュートなどのリングに手が届くような派手なプレイが出来るようになる。
【産業上の利用可能性】
【００１１】  日本人のような小柄な人種でも全米プロバスケットボールのような派手なプレイが出来るようになり、プレイヤーはプレイを、観客は観戦を、従来のバスケットボール以上に楽しめ、バスケットボールの競技人口の増加、大会の開催に繋がる。【００１２】  新たにミドルクラスバスケットボールが誕生することにより、全国の学校や体育館へのゴール設置が見込め、スポーツ用具メーカーの販売促進にも繋がる。
【図面の簡単な説明】
【００１３】
【図１】移動式バスケットボール用ゴールを前から見た図
【図２】移動式バスケットボール用ゴールを横から見た図
【図３】埋込み式バスケットボール用ゴールを横から見た図
【図４】壁面設置用バスケットボール用ゴールを横から見た図
【符号の説明】
【００１４】１  設置面
２  リング部分
３  １から２の高さが２００ｃｍから２５０ｃｍ
【図１】
0003122191.tif 000003
【図２】
0003122191.tif 000004
【図３】
0003122191.tif 000005
【図４】
0003122191.tif 000006
【手続補正書】
【提出日】平成18年2月26日(2006.2.26)
【手続補正１】
【補正対象書類名】実用新案登録請求の範囲
【補正対象項目名】請求項２
【補正方法】変更
【補正の内容】
【請求項２】
現在バスケットボールの試合で使用されている壁面設置式、移動式、埋込み式のバスケットゴールに、請求項１に記載の設置面からリングまでの高さを２００ｃｍから２５０ｃｍの間で高さ調節可能なゴールを組み合わせた、公式ゴールよりも５５ｃｍから１０５ｃｍ高さの低い事を特徴とする試合用のバスケットゴール。
(57)【要約】      （修正有）【課題】乳児をずっと抱きかかえておくことなく、安全に、座席に横に寝かせることが出来るようにするため、また、幼児においては足の高さを腰の高さと同じにすることで疲労を軽減することができるつりさげ式座席マットの提供。【解決手段】新幹線のような列車や航空機の座席４において、前座席の背面に設置されている収納式机５の軸６に、布製あるいはビニール製などの長方形のマット１の一辺をベルト状のひも２や、フック等で架け、またこの長方形のマット１の反対側の一辺は座部と、背もたれ部分の間に入れ込み固定することにより、幼児用の足置き、乳幼児用の横になるためのスペースを確保することが出来る。【選択図】図２
0003122172.tif 000002
【実用新案登録請求の範囲】
【請求項１】
新幹線のような列車や航空機の座席４において、前座席の背面に設置されている収納式机５の軸６に、布製あるいはビニール製などの長方形のマット１の一辺をベルト状のひも２や、フック等で架け、またこの長方形のマット１の反対側の一辺は座部と背もたれ部分の間に入れ込み固定することにより、幼児用の足置き、乳幼児用の横になるためのスペースを確保することが出来ることを特徴とした、つりさげ式座席マット。
【考案の詳細な説明】
【技術分野】
【０００１】  本考案は、新幹線のような列車や航空機などの座席を使用するときに利用する、幼児用の足置き、乳幼児用の横になるためのマットに関する。
【背景技術】
【０００２】  従来、新幹線のような列車や航空機などを利用する際に、特に乳児は座席に座らせることができないためずっと抱きかかえておく必要があった。また幼児においては腰からひざまでの長さが短いにもかかわらず、サイズの合わない座席に座っておく必要があった。
【考案の開示】
【考案が解決しようとする課題】
【０００３】  新幹線のような列車や航空機の座席において、乳児を座席に寝かせようとしても十分なスペースを確保することはできず危険である。また、幼児においては、体の大きさが座席の大きさにあわないので、足をどこかに掛けたりしたいが、足を掛けるところはない。【０００４】  本考案はこのような点に鑑みて成されたものであり、その目的は、乳児をずっと抱きかかえておくことなく、安全に、座席に横に寝かせることが出来るようにするため、また、幼児においては足の高さを腰の高さと同じにすることで疲労を軽減することにある。
【課題を解決するための手段】
【０００５】  上述の目的を達成するための本考案の、つりさげ式座席マットは、新幹線のような列車や航空機の座席において、座席と前座席の背面に設置されている収納式机の軸に、布製あるいはビニール製などの長方形のマットの一辺をベルト状のひもや、フック等で架け、またこの長方形のマットの反対側の一辺は座部と、背もたれ部分の間に入れ込み固定することにより、幼児用の足置き、乳幼児用の横になるためのスペースを確保することが出来る。
【考案の効果】
【０００６】  以上説明したように本考案によれば、前座席の背面に設置されている収納式机の軸に、布製あるいはビニール製などの長方形のマットの一辺をベルト状のひもや、フック等で架け、またこの長方形のマットの反対側の一辺は座部と、背もたれ部分の間に入れ込み固定すれば、新幹線のような列車や航空機を利用し移動する際も、乳児をずっと抱きかかえておくことなく、安全に、座席に横に寝かせることが出来るようになり、また、幼児においては足の高さを腰の高さと同じにすることで疲労を軽減することが出来る。
【考案を実施するための最良の形態】
【０００７】  以下、本考案の実施の形態を図面に基づき詳細に説明する。【０００８】  図１は本考案の全体図である。【０００９】  図１の、布製あるいはビニール製などの長方形のマット１の横幅は座席の横幅と同じくらいであり、長さは前座席の背面に設置されている収納式机５の軸６と、座部と背もたれ部分の間に入れ込み固定するのに十分な長さである。【００１０】  図１の、布製あるいはビニール製などの長方形のマット１は、乳児を横に寝かせた時に、より落下しにくくするためにハンモックのように中央だけが沈むようになっていても良い。
【実施例】
【００１１】  図２は、実際にマット１を座席に敷き、前座席の背面に設置されている収納式机５の軸６に本考案のマット１の一辺を架け、また、マット１の反対側の一辺は座部と、背もたれ部分の間に入れ込み固定した、斜視図である。
【産業上の利用可能性】
【００１２】    本考案は新幹線のような列車や航空機のような旅客運輸分野。および旅行グッズを製造、販売する産業分野で利用することが出来る。
【図面の簡単な説明】
【００１３】
【図１】    本考案の全体図である。
【図２】    本考案の実際に座席に固定したときの斜視図である。
【符号の説明】
【００１４】    １  布製あるいはビニール製などの長方形のマット
２  ベルト状のひも、あるいはフック等
３  ２本のひもを着脱するバックル
４  新幹線のような列車や航空機等の座席
５  座席の背面に設置されている収納式机
６  座席の背面に設置されている収納式机の軸
【図１】
0003122172.tif 000003
【図２】
0003122172.tif 000004
【手続補正書】
【提出日】平成17年1月17日(2005.1.17)
【手続補正１】
【補正対象書類名】実用新案登録請求の範囲
【補正対象項目名】全文
【補正方法】変更
【補正の内容】
【実用新案登録請求の範囲】
【請求項１】
列車や航空機の座席を使用するにおいて、幼児用の足置きや乳幼児用の横になるためのスペースを確保するために、ベルト状のひも２やフック等で既存の設備に固定することが出来る、布製あるいはビニール製などのつりさげ式座席マット。
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
列車や航空機の座席の幅（約５０ｃｍ位）と、座席と前の席の背面の間（約１ｍ位）の長さを持った、布製あるいはビニール製などの長方形のマットの、一辺に前の席の背面につりさげるためのベルト状のひもをつける。
【手続補正書】
【提出日】平成17年11月1日(2005.11.1)
【手続補正１】
【補正対象書類名】実用新案登録請求の範囲
【補正対象項目名】全文
【補正方法】変更
【補正の内容】
【実用新案登録請求の範囲】
【請求項１】
列車や航空機の座席の幅（約５０ｃｍ位）と、座席と前の席の背面の間（約１ｍ位）の長さを持った、布製あるいはビニール製などの長方形のマットの、一辺に前の席の背面につりさげるためのベルト状のひもをつけた、つりさげ式座席マット。
(57)【要約】      （修正有）【課題】出来るだけ小型の筒型容器（パイプ）に保管しようとする時に、吐き出しホースと本体との接合部分が無理に折り曲げられ、パイプの接合部分が破損することを防止する。【解決手段】接合部分１を、一旦Ｌ型にしてから、そこに、従来の蛇腹形状の吐き出しホース部分を真下に連結すれば、筒型収納パイプに無理なく収納できる。これによりホースＡをより小さな筒型容器に収納出来、結果として、埃などから護り清潔に保管出来る。【選択図】図１
0003122174.tif 000002
【実用新案登録請求の範囲】
【請求項１】
給油ポンプの吐き出し側で、図（１）のＡとＢでなる連結保持部のＡの部分（図（２）のＬ型構造）
【考案の詳細な説明】
【考案の詳細な説明】
【０００１】
【考案が解決しようとする課題】
【０００２】従来形だと、出来るだけ小型の筒型容器（パイプ）に保管しようとすると、吐き出しホースＡと本体Ｂとの接合部分がどうしても、無理に折り曲げられ、ついにはパイプの▲１▼〔実用新案登録出願人〕の接合部分が破損に至るという問題があった。
【課題を解決するための手段】
【０００３】本考案は是を解決するために、▲１▼の接合部分を、一旦Ｌ型にしてから、そこに、従来の蛇腹形状の吐き出しホース部分を真下に連結すれば、筒型収納パイプに無理なく収納出来る。これによりホースをより小さい筒型収納容器に収納出来、結果として、埃などから護り清潔に保管出来る。
【考案を実施するための最良の形態】
【考案の効果】
【０００４】これによりホースをより小さい筒型収納容器に収納出来、結果として、埃などから護り清潔に保管出来る。
【図面の簡単な説明】
【図１】  給油ポンプの吐き出し側で、図１のＡとＢを、Ｌ型構造の連結保持構造に改良したものである。
【図１】
0003122174.tif 000003
【手続補正書】
【提出日】平成17年7月21日(2005.7.21)
【手続補正１】
【補正対象書類名】実用新案登録請求の範囲
【補正対象項目名】全文
【補正方法】変更
【補正の内容】
【実用新案登録請求の範囲】
【請求項１】
従来の既製品は、吐出筒が吸い上げ筒に対して直角であったが、この吐出筒を真下にＬ型に曲げ、吸い上げ筒と平行にする。
【手続補正書】
【提出日】平成17年11月12日(2005.11.12)
【手続補正１】
【補正対象書類名】実用新案登録請求の範囲
【補正対象項目名】全文
【補正方法】変更
【補正の内容】
【実用新案登録請求の範囲】
【請求項１】
従来の灯油ポンプは、ポンプの吐出筒が吸い上げ筒に対して直角であったが、この吐出筒をＬ字型に形成したプラスチック、及び灯油吸い上げ筒と平行にした形成を有する灯油ポンプ
【手続補正書】
【提出日】平成18年2月21日(2006.2.21)
【手続補正１】
【補正対象書類名】実用新案登録請求の範囲
【補正対象項目名】全文
【補正方法】変更
【補正の内容】
【実用新案登録請求の範囲】
【請求項１】
従来の灯油ポンプは、ポンプの吐出筒が吸い上げ筒に対して直角であったが、この吐出筒をＬ字型に形成したプラスチック、及び灯油吸い上げ筒と平行にした吐出筒を有する灯油ポンプ
(57)【要約】【課題】  足踏み横棒に左足，右足と片寄った荷重が掛かっても全体として梯子部分が左右にぐらつかず、横揺れのない安定した状態で非常時に老人や子供などにおいても降りやすくなる避難梯子を得る。【解決手段】  中心ピン１０１により互いに回転するように構成されるＸ部材１ａをその四端部の端部ピン１０２により互いに回転するように複数個一列に連結してなる梯子両側部材１と、この梯子両側部材１の左右間に跨って各中心ピン１０１の近くの各位置にそれぞれ架設される複数個の足踏み横棒２と、梯子の背面側に位置する端部ピン１０２を兼ねるようにピン位置の左右間に跨って架設される揺れ防止横棒３とからなり、かつ常時はＸ部材１ａを利用して梯子両側部材１を折り畳んで格納できるようにしてなる。【選択図】    図１
0003122185.tif 000002
【実用新案登録請求の範囲】
【請求項１】
中心ピンにより互いに回転するように構成されるＸ部材をその四端部の端部ピンにより互いに回転するように複数個一列に連結してなる梯子両側部材と、この梯子両側部材の左右間に跨って前記各中心ピンの近くの各位置にそれぞれ架設される複数個の足踏み横棒と、梯子の背面側に位置する前記端部ピンを兼ねるようにピン位置の左右間に跨って架設される揺れ防止横棒とからなり、かつ常時は前記Ｘ部材を利用して梯子両側部材を折り畳んで格納できるようにしたことを特徴とする避難梯子。
【考案の詳細な説明】
【技術分野】
【０００１】
本考案は、マンション等のベランダに設置する避難梯子に関するものである。
【背景技術】
【０００２】
従来のこの種の避難梯子を図３〜図５について説明する。
図３は下げ降ろした使用状態の梯子部分のみを示す正面図、図４は図３の側面図、図５は図３を上からみた図である。
【０００３】
かかる梯子部分は、図示省略するが、その上方がベランダの床に嵌め込まれたハッチに連結されると共に、常時は折り畳んでハッチ内に格納できるようになっている。そして、図示の使用状態では、開いたハッチからこの梯子部分を使って階下に避難することができる。
【０００４】
図において、１は中心ピン１０１により互いに回転するように構成されるＸ部材１ａをその四端部の端部ピン１０２により互いに回転するように複数個（図面では４個）一列に連結してなる梯子両側部材、２は梯子両側部材１の左右間に跨らせて各中心ピン１０１の少し上方の各位置にそれぞれ架設した複数個（図面では４個）の足踏み横棒で、図示省略するが棒端の突出部でＸ部材１ａのすぼみを止めて梯子両側部材１の伸び（長さ）を図示の状態に定めるようになっている。
【特許文献１】実開昭５９−５４７００号公報
【考案の開示】
【考案が解決しようとする課題】
【０００５】
解決しようとする問題点は、かかる梯子両側部材１では足踏み横棒２により左右が連結されるのみであるので、この足踏み横棒２に左足，右足と片寄った荷重が掛かると全体として梯子部分が左右に大きくぐらつき、この横揺れによって降りにくく、非常時の危険度が老人や子供などにおいて特に増大するという点である。
【課題を解決するための手段】
【０００６】
本考案は、中心ピンにより互いに回転するように構成されるＸ部材をその四端部の端部ピンにより互いに回転するように複数個一列に連結してなる梯子両側部材と、この梯子両側部材の左右間に跨って前記各中心ピンの近くの各位置にそれぞれ架設される複数個の足踏み横棒と、梯子の背面側に位置する前記端部ピンを兼ねるようにピン位置の左右間に跨って架設される揺れ防止横棒とからなり、かつ常時は前記Ｘ部材を利用して梯子両側部材を折り畳んで格納できるようにしたことを特徴とする。
【考案の効果】
【０００７】
本考案は、梯子両側部材を足踏み横棒に加えて揺れ防止横棒によっても左右を連結することにより、足踏み横棒に左足，右足と片寄った荷重が掛かっても全体として梯子部分が左右にぐらつかず、横揺れのない安定した状態で非常時に老人や子供などにおいても降りやすくなるという効果がある。
【考案を実施するための最良の形態】
【０００８】
梯子両側部材を足踏み横棒に加えて揺れ防止横棒によっても左右を連結することにより、実現した。
【実施例】
【０００９】
本考案の一実施例を図１，図２について説明する。
図１は下げ降ろした使用状態の梯子部分のみを示す正面やや斜めからみた図、図２は図１を上からみた図であり、前記した従来のものと同一又は相当部分には同一符号を付して説明を省略する。
【００１０】
図において、３は梯子の背面側に位置する各端部ピン１０２を兼ねるように各ピン位置の左右間に跨らせてそれぞれ架設した複数個（図面では３個）の揺れ防止横棒で、各ピン位置でＸ部材１ａの端部ピン１０２の作用をするようにそれぞれ設けてある。
【００１１】
このように揺れ防止横棒３を背面側の各端部ピン１０２に変えてそれぞれ設けておくと、梯子両側部材１の左右が足踏み横棒２に加えてこの揺れ防止横棒３によってもしっかりと連結されるので、足踏み横棒２に左足，右足と片寄った荷重が掛かっても全体として梯子部分が左右にぐらつかない。よって、横揺れのない安定した状態で非常時に老人や子供などにおいても降りやすくなる。
【００１２】
上記実施例では足踏み横棒２の上下間にそれぞれ位置するように揺れ防止横棒３をそれぞれ架設するものを示したが、この揺れ防止横棒３は例えば一本抜けの状態であっても、全体として左右固めができる状態であれば良いことは勿論である。
【産業上の利用可能性】
【００１３】
本考案は、マンション等のベランダに設置する避難梯子に広く活用できる。
【図面の簡単な説明】
【００１４】
【図１】この考案の一実施例を示すもので、下げ降ろした使用状態の梯子部分のみを示す正面やや斜めからみた図である。
【図２】図１を上からみた図である。
【図３】従来のものを示すもので、下げ降ろした使用状態の梯子部分のみを示す正面図である。
【図４】図３の側面図である。
【図５】図３を上からみた図である。
【符号の説明】
【００１５】
１：梯子両側部材
１ａ：Ｘ部材
１０１：中心ピン
１０２：端部ピン
２：足踏み横棒
３：揺れ防止横棒
【図１】
0003122185.tif 000003
【図２】
0003122185.tif 000004
【図３】
0003122185.tif 000005
【図４】
0003122185.tif 000006
【図５】
0003122185.tif 000007
(57)【要約】【課題】本考案は、家の壁などにかけ、身長測定を目的とする測定用目盛りを有し、わが子の出生情報、身長体重の測定データ及び入学等記念日などのイベント情報を成長に従い記録でき、又、写真を装着する事で、一生の思い出になる成長記録具を提供する。【解決手段】本考案は、身長測定目盛りと情報記録エリアを持つ、適当な長さから大人の身長まで組み立て可能な多段板で構成した本体１０と、本体１０の各段の正面に取り付け、開閉可能な写真入りエリアを持つ部品２０から構成する成長記録具。【選択図】図１
0003122187.tif 000002
【実用新案登録請求の範囲】
【請求項１】
本成長記録具は、筆記具などで記録可能な素材により構成され、適当な長さから大人の身長まで組み立て可能な多段の板に、身長測定目盛り、情報記録エリアを設ける本体１０と、本体１０の各段の正面に取り付け、写真装着及び開閉可能な部品２０から構成する成長記録具。
【請求項２】
請求項１の成長記録具本体の情報記録エリアには、出生情報記録エリアと、目盛りの横に設ける目盛りに対応する身長測定年月日・体重などを記録するエリアと、成長情報及び入学等記念日などのイベント情報を記録する情報別の記録エリアを持つことを特徴とする請求項１記載の成長記録具。
【請求項３】
請求項１の成長記録具は、始めに出生情報記録段と目盛りの低い段を組み立てて家の壁などに飾り、身長の成長に従い、随時組み立てできることを特徴とする請求項１記載の成長記録具。
【考案の詳細な説明】
【技術分野】
【０００１】本考案は、身長測定機能を有し、出生情報・身長体重などの成長情報と入学等記念日などのイベント情報を記録可能なエリア及び記録情報に応じる写真装着エリアを持つ成長記録具に関する。
【背景技術】
【０００２】子供の出生から大人までの成長情報は、ノートなどを使用して記録し、どこかに収納することが一般的で、見るためには都度収納から取り出す必要があり、不便を感じる。一方写真装着可能な身長測定計が身長測定の器具として存在しているが、出生からの情報、成長につれての情報記録機能を持っていない。
【考案の開示】
【考案が解決しようとする課題】
【０００３】本考案は、普通の収納ではなく、家の壁などにかけ、わが子の出生情報及び入学等記念日などのイベント情報を成長に従い記録し、身長の測定目盛りを設け、測定年月日・体重などを目盛りの横に書き込むことができ、又、写真も装着できる、一生の思い出になる成長記録具。
【課題を解決するための手段】
【０００４】上記目的を達成するために請求項１記載の考案は、適当な長さから大人の身長まで組み立て可能な多段の板に身長測定目盛りを設け、身長測定の器具とすると同時に、出生情報・成長情報及び入学等記念日などのイベント情報を情報別に記録可能な情報記録エリアを持つ事で、従来の情報記録ノートと写真入りの身長測定器具との両方の機能を持つ成長記録具を特徴とする。
【考案の効果】
【０００５】以上述べたように、請求項１による成長記録具の最下段は、出生時の情報・様子などを記録する段とし、最下段以外の段の本体１０に身長測定用目盛りを設けると同時に、目盛りの横に設ける身長測定年月日・体重などを記録するエリアと、成長情報及び入学等記念日などのイベント情報を記録するエリアを持つ事で、出生情報及び成長に従う情報を記録できる。【０００６】さらに、請求項１による成長記録具の本体１０の正面に取り付け、写真装着及び開閉可能な部品２０を設ける事で、成長に従う写真を装着することができる。このため、出生情報・身長体重などの成長情報・入学等記念日などのイベント情報及び成長に従う写真などのわが子の出生成長に関する情報が明瞭になり、一生の思い出になる。
【実施例】
【０００７】以下添付図に基づいて本考案に関する成長記録具の一実施例を詳説する。
図１は本考案に関する成長記録具の全体正面図、図２は最下段の正面図、図３は最下段以外の段で部品２０の閉まっている状態の正面図、図４は最下段以外の段で部品２０の開いている状態の正面図、図５は最下段と下から２段目とを組み立てた使用形態の正面図。【０００８】図１は例として、４段構成の成長記録具で、最下段は部品２０を付けずに出生情報を記録する段とし、他の段は同じ構成で目盛り付きの情報記録エリアを設ける本体１０と写真装着の部品２０からなる成長記録具。【０００９】図２は最下段で、段の高さが出生児の身長より低いため、身長測定機能を持たずに出生情報の記録エリア４０と出生時の写真装着エリア３０を設ける専用出生情報記録段とする。【００１０】図３は最下段以外の段で、通常は部品２０が閉まっており、正面から本体の目盛りと写真装着エリア５０を有する部品２０しか見られない。部品２０を開けると、図４のように本体１０に身長測定年月日・体重などの記録エリア６０、入学等記念日などのイベント記録エリア７０があり、そこに情報の記録ができ、又、記録した情報を見ることができる。これにより情報の記録と写真の装着ができると同時に、本体の幅を小さく抑えることができる。【００１１】子供が出生時、図５のように最下の出生情報記録段と、その上の身長測定・情報記録・写真装着の２段目とを組み立てて家の壁などに飾り、成長に従い随時他の段を組み立てていく構成。
【図面の簡単な説明】
【００１２】
【図１】成長記録具の実施例の正面図
【図２】成長記録具の実施例の最下段の正面図
【図３】成長記録具の実施例の最下段以外の段で部品２０の閉まった状態の正面図
【図４】成長記録具の実施例の最下段以外の段で部品２０の開いている状態の正面図
【図５】成長記録具の実施例の最下段とその上の２段目とを組み立てた使用状態の正面図
【符号の説明】
【００１３】１０成長記録具本体
１０ａ、１０ｂ、１０ｃ、１０ｄ成長記録具各段の本体
２０成長記録具本体１０に取り付けた部品
２０ａ、２０ｂ、２０ｃ成長記録具本体の各段に取り付けた部品
３０成長記録具最下段の写真装着エリア
４０成長記録具最下段の情報記録エリア
５０成長記録具最下段以外の段の本体１０に取り付けた部品２０の写真装着エリア
６０成長記録具最下段以外の段の本体１０の目盛りの横に設ける身長測定年月日・体重などを記録するエリア
７０成長記録具最下段以外の段の本体１０に設ける入学等記念日などのイベント情報記録エリア
【図１】
0003122187.tif 000003
【図２】
0003122187.tif 000004
【図３】
0003122187.tif 000005
【図４】
0003122187.tif 000006
【図５】
0003122187.tif 000007
(57)【要約】      （修正有）【課題】本考案は、一つで二つの意匠を持った装身具を提供する。【解決手段】外部からの力が加わると内側に巻き込む作用が生じるスチール製の、断面がＵ字状の長方形の板バネを、板バネより大きな長方形の生地で覆う。また、長方形の生地表面には左右異なった意匠のプリントを施す。または、左右異なった生地で覆う。【選択図】図１
0003122189.tif 000002
【実用新案登録請求の範囲】
【請求項１】
表面に左右異なった意匠を設けた長方形の装身具本体（１）内部に、外部からの力が加わると内側に巻き込む作用が生じるスチール製の板バネ（２）を内蔵する。
【考案の詳細な説明】
【技術分野】
【０００１】  本考案は、腕やかばん等に巻きつけて使用する装身具に関する。
【背景技術】
【０００２】  従来、腕に付ける装身具は単一の意匠の物や、スチール製の板バネを内蔵している装身具はあった。
【考案の開示】
【考案が解決しようとする課題】
【０００３】  これには次のような欠点があった。
（イ）着る服装によって似合わない場合がある。
（ロ）意匠が好まれなければ使用してもらえない。
（ハ）飽きられてしまう。
本考案は、これらの欠点を除くためになされたものである。
【課題を解決するための手段】
【０００４】  外部からの力が加わると内側に巻き込む作用が生じる、スチール製の断面がＵ字状の長方形の板バネ（２）を、板バネより大きな長方形の生地で覆う。また、長方形の生地表面には左右異なった意匠のプリントを施す。または、左右異なった生地で覆う。
本考案は、以上のような構成よりなる左右異なる意匠の装身具である。
【考案の効果】
【０００５】  本考案の左右異なる意匠の装身具は、長方形の装身具の左右で異なる意匠を持ち、板バネ（２）の作用で巻き付く際に、巻き付く方向によって意匠の違う表面の装身具になる。右には男性の好む意匠、左には女性が好む意匠にすることで男女兼用の装身具になる。また、右には子供の好むキャラクター、左には高齢者の好む意匠にすることで子供と高齢者兼用の装身具にもなる。春向けの柄と秋向けの柄、カジュアルな色とシックな色等組み合わせ次第で様々な組み合わせが可能である。そしてひとつの装身具を使用していると誰でも飽きてしまいがちだが、本考案の左右異なる意匠の装身具は、反対巻きに使用することで異なった意匠になるので飽きない。このように一本の装身具にもかかわらず二本の装身具の効果を持つ。また、外部からの力が加わると内側に巻き込む作用が生じるスチール製板バネを内蔵しているので、取り付けは長方形の本体の裏面を、取り付けたい腕等に軽く叩きつけると板バネが丸まり簡単に且つ楽しく装着できる。
【考案を実施するための最良の形態】
【０００６】（イ）丸まると二回転する長さの、断面がＵ字状の長方形の板バネ（２）を、板バネより大きな長方形の生地で覆う。
（ロ）生地は板バネ（１）が飛び出さないように、表面材と裏面材とを高周波溶着等で強固に周囲を接合する。
（ハ）本体（１）表面の左右で異なる絵柄をシルクスクリーン印刷等で印刷する。
（ニ）また、本体表面の左右で異なる素材を使う事もできる。
（ホ）表面材を反射材にしたり、反射インクを使用して交通事故防止の要素を持たすこともできる。
【実施例】
【０００７】  以下、本考案の実施例について説明する。
本考案は、図３で示すように長方形の本体の片端をつかみ、装身具を取り付けたい腕等の場所に、本体（１）の裏面を軽く叩きつける事で、本体内部に設けた板バネ（２）の特性で丸まり、図４で示すように掴んでいた片端側の意匠が、丸まった本体の外周部に現れる状態で装着できる。また、長方形本体の反対側の片端をつかみ同じように巻きつけると、反対側の意匠が表面に現れた状態で装着ができる。図５は図１のストライプ柄の端を掴んで丸めた際の形状であり、図６は図１の水玉柄の端を掴んで丸めた際の形状である。
【産業上の利用可能性】
【０００８】  本考案の左右異なる意匠の装身具は、装飾アクセサリーとして、男性女性問わず子供から大人まで幅広い層の人に使用できる。今までの物は男性向けに作ったら男性しか使用できない趣向のものであったがため、女性には使ってもらえなかった。しかし本考案の左右異なる意匠の装身具は、男性女性向けの意匠を左右にそれぞれ施せば、一本で男女兼用できる。よって今日はお父さんが使い、明日はお母さんが使うなどの使用が可能である。組み合わせしだいで、高齢者と女性向け、子供と高齢者向け等様々な兼用が可能。また、表面に反射材を使用すれば交通事故防止の安全用品としても使える。特に今までの安全用品は子供向け、高齢者向けがはっきり分別されており、子供でも高齢者でも使える物が少なかったので、左右異なる意匠の装身具は交通安全用品の分野でも汎用性のある品物である。
【図面の簡単な説明】
【０００９】
【図１】本考案の平面図である。
【図２】本体の中に封入されている板バネの平面図と側面図である。
【図３】本考案の実施例をあらわす使用図である。
【図４】本考案の実施例をあらわす使用図である。
【図５】本考案の実施例をあらわす斜視図である。
【図６】本考案の実施例をあらわす斜視図である。
【符号の説明】
【００１０】  １  本体
２  板バネ
３  腕
４  表面材
５  裏面材
【図１】
0003122189.tif 000003
【図２】
0003122189.tif 000004
【図３】
0003122189.tif 000005
【図４】
0003122189.tif 000006
【図５】
0003122189.tif 000007
【図６】
0003122189.tif 000008
【手続補正書】
【提出日】平成18年3月1日(2006.3.1)
【手続補正１】
【補正対象書類名】実用新案登録請求の範囲
【補正対象項目名】全文
【補正方法】変更
【補正の内容】
【実用新案登録請求の範囲】
【請求項１】
表面に左右異なった意匠を設けた長方形の装身具本体（１）内部に、外部からの力が加わると内側に巻き込む作用が生じるスチール製の板バネ（２）を内蔵する装身具。
(57)【要約】      （修正有）【課題】各月の半分を経過した際に、次月の前半部分を表示させて、予定が分かることができるようにする。【解決手段】カレンダーシート１の縦若しくは横方向の中央部分にミシン目や折込線２を入れて、月の半分を経過した段階で過ぎた半月分を折り込み、次月の前半部分を表示させて予定等を書き込むことができるようにした卓上カレンダーである。【選択図】図１
0003122188.tif 000002
【実用新案登録請求の範囲】
【請求項１】
カレンダーシートの縦若しくは横方向にミシン目や折込線を入れ、当該月の前半や２週目（若しくは３週目）を経過した後に、カレンダーシートを後ろに折り込んで、次月の前半部分を表示させて、予定等を書き込むことを可能とさせた卓上カレンダー。
【考案の詳細な説明】
【技術分野】
【０００１】  本考案は、予定帳として利用できる、実用性のある卓上カレンダーに関するものである。
【背景技術】
【０００２】  卓上カレンダーは、図３（ａ）に示すような、日付区画を大きくとり、予定等を記載できるようにしたものが汎用されている。また中には同図（ｂ）に示すような、当該月の前後の月の日付が小さく記載されているものもある。
【考案の開示】
【考案が解決しようとする課題】
【０００３】  しかし、図３（ａ）に示されるような従来の卓上カレンダーを、予定帳の代わりに使おうとすると、１ヶ月分の予定はすぐに分かるものの、その次月の予定は一見して分からず、記載する際にもカレンダーシートをいちいちめくらなければならないという煩雑さがあった。【０００４】  また図３（ｂ）に示されるものは、前後の月の曜日等が分かるものの、予定を記載できるほどスペースがないため、やはりその次月の予定は一見して分からず、記載する際にもカレンダーシートをめくる必要があった。
【課題を解決するための手段】
【０００５】  この考案は以上のような問題に鑑み創案されたもので、月の前半分が終了した時点で、次月の前半部分を表示させて予定の記載や確認ができる卓上カレンダーを提供しようとするものである。
【考案の効果】
【０００６】  このため、本考案に係る卓上カレンダーは、カレンダーシートを半分に分けるようなミシン目や折込線を入れて、月の前半が経過した時点で折り込むことができることを基本的特徴とし、月の後半になった場合には、一見して当該月の後半のみならず、次月前半の予定が分かるものとなっている。
【考案を実施するための最良の形態】
【０００７】  本考案の最良の実施形態を図面に基づき説明する。尚、本考案は以下の実施例になんら限定されるものではない。
【実施例】
【０００８】  図１はカレンダーシート▲１▼の横方向に折り目を入れた実施例を示す。ミシン目若しくは折り目▲２▼はカレンダーの中央に左右に渡って入れられ、各カレンダーシート▲１▼にはそのミシン目若しくは折り目▲２▼により、月の前半部分が記載された日付表示部▲３▼と、後半部分が記載された日付表示部▲４▼により形成されている。もちろん、各日付表示部▲３▼、▲４▼には予定等の書き込みができるよう、日付区画が充分大きく取られているものとなっている。また、それぞれのカレンダーシートには、折り込んだ際に、当該月が分かるように、日付表示部▲３▼及び▲４▼の両方に月を表示するものとする。【０００９】  図２は日付表示が縦に並び、カレンダーシート▲１▼の縦方向に折り目を入れた実施例を示す。ミシン目若しくは折り目▲２▼はカレンダーの中央に上下に渡って入れられ、各カレンダーシート▲１▼にはそのミシン目若しくは折り目▲２▼により、月の前半部分が記載された日付表示部▲３▼と、後半部分が記載された日付表示部▲４▼により形成されている。また、図１と同様にそれぞれのカレンダーシートには、折り込んだ際に、当該月が分かるように、日付表示部▲３▼及び▲４▼の両方に月を表示するものとする。【００１０】  これらの実施例のカレンダーを用いた場合、当該月の前半が経過した後にはその前半の日付表示部▲３▼をミシン目若しくは折り目▲２▼によって後ろへ折り込む。従って、図１，２共に、月の後半には当該月の後半の予定と、次月の前半の予定が露見していることになり、当該月の後半の予定を見ながら次月前半の予定を記載することもできるし、予定の確認等をすることができるものとなる。【００１１】  尚、以上の例はミシン目若しくは折り目を１のみ入れた場合を示したが、その用途によっては、カレンダーシートを２ヶ月単位で記載し、ミシン目若しくは折り目を３にしてももちろん良い。また図２の例では日付表示を左右逆のもの等でもよい。
【図面の簡単な説明】
【００１２】
【図１】  本考案の一実施例を示した説明図である。
【図２】  本考案の他の実施例を示した説明図である。
【図３】  従来の卓上カレンダーを示した説明図である。
【符号の説明】
【００１３】  ▲１▼：カレンダーシート
▲２▼：ミシン目若しくは折り目
▲３▼：月の前半の日付表示部
▲４▼：月の後半の日付表示部
【図１】
0003122188.tif 000003
【図２】
0003122188.tif 000004
【図３】
0003122188.tif 000005
【手続補正書】
【提出日】平成18年2月27日(2006.2.27)
【手続補正１】
【補正対象書類名】実用新案登録請求の範囲
【補正対象項目名】全文
【補正方法】変更
【補正の内容】
【実用新案登録請求の範囲】
【請求項１】
カレンダーシートの縦若しくは横方向にミシン目や折込線を入れ、当該月の前半を経過した後に、カレンダーシートを後ろに折り込んで、次月の前半部分を表示させて、予定等を書き込むことを可能とさせた卓上カレンダー。